(57)【要約】      （修正有）【課題】缶バッジとカードを収納して、机の上に立てて鑑賞出来る飾り立てを提供する。【解決手段】折り畳み可能な２面の開き面１０ａ、１０ｂを有し、開いた状態で机上に据え置ける飾り立て１０である。一方の開き面１０ａには、缶バッジ１２が収納され、他方の開き面１０ｂには、カード１４が挟み固定され、机の上で、鑑賞出来る。カード１４はアクリルカード、写真、葉書、絵画、ブロマイド、印刷物等を含む。【選択図】図１
0003227906.tif 000002
【実用新案登録請求の範囲】
【請求項１】
缶バッジを嵌め込み収納可能な飾り立てであって、
前記飾り立ては、折り畳み可能な２面の開き面を有し、開いた状態で、卓上に据え置きすることが出来、
一方の開き面には、缶バッジが収納される開口部が設けられ、他方の開き面には、カードが挟み固定される切込みが設けられている、
ことを特徴とする缶バッジの飾り立て。
【請求項２】
請求項１記載の缶バッジの飾り立てにおいて、缶バッジは開口部に少数個収納され、カードは切込みに少数枚挟み固定されていることを特徴とする缶バッジの飾り立て。
【請求項３】
請求項１または２に記載の缶バッジの飾り立てにおいて、カードは、アクリルカード、写真、葉書、絵画、ブロマイド、印刷物等を含むことを特徴とする缶バッジの飾り立て。
【考案の詳細な説明】
【技術分野】
【０００１】
本考案は、缶バッジの飾り立て、特に好みの形状、意匠デザインに作られた缶バッジを他のカードと共に卓上に立てて飾る、缶バッジの飾り立てに関する。
【背景技術】
【０００２】
衣服に着脱自在に装着される缶バッジは、ブリキ、スチール、アルミ等の金属製のバッジで、中が空洞になっており、表面に各種の意匠デザインが施され、簡便な装飾バッジとして広範囲に利用されている。この様な缶バッジは、古くは漫画のキャラクターを販促用の缶バッジとして用い、ノベルティグッズとして売り上げを伸ばす効果があることが知られている。
【０００３】
缶バッジは衣服から外した時に、所有者がそれぞれ好みの方法で収納しており、例えば缶バッジコレクションブック等は、数十個の缶バッジを一枚の板状の収納盤に嵌め込み固定して収納しているが、これは全体として大型化し、卓上に飾ることは出来ず、本棚にしまうことが通常であった。
【０００４】
特許文献１には、缶バッジを収納する平坦部材収納具が示され、缶バッジを収納するための帯状の本体と、一端が本体に接続される保持具を備えており、保持具をバッグ等に取り付ければ、装飾品として使用出来る。
【先行技術文献】
【特許文献】
【０００５】
【特許文献１】実用新案登録第３２０４７１４号公報
【考案の概要】
【考案が解決しようとする課題】
【０００６】
しかし、特許文献１に記載された従来技術の缶バッジ収納具では、持ち歩く装飾品としては使えても、卓上に据え置いて飾りとして用いるという利用には向かないという問題があった。
【０００７】
そこで、本考案は、様々な形状の缶バッジの意匠デザインを利用して一方の開き面に飾り、また、この缶バッジのデザインと異なる、あるいは一体的なデザインを持ったカードを他方の開き面に飾った飾り立てを提案し、卓上にこの飾り立てを開いた状態で据え置くことにより、卓上に新たな装飾感を創出することを特徴とする。
【課題を解決するための手段】
【０００８】
本考案は、缶バッジを嵌め込み収納可能な飾り立てであって、前記飾り立ては、折り畳み可能な２面の開き面を有し、開いた状態で、卓上に据え置きすることが出来、一方の開き面には、缶バッジが収納される開口部が設けられ、他方の開き面には、カードが挟み固定される切込みが設けられている、ことを特徴とする。
【０００９】
本考案の飾り立てには、好みの形状、意匠デザインの缶バッジとカードとが開き面の両面にそれぞれ収納或いは固定され、この飾り立てを卓上に開いた状態で据え置くことにより、自分の卓周りを自己の気に入った意匠デザインの缶バッジとカードで装飾することが出来、卓周りの環境を改善することが出来る。
【００１０】
上記缶バッジの飾り立てにおいて、缶バッジは開口部に少数個収納され、カードは切込みに少数枚挟み固定されていることを特徴とする。
【００１１】
本開示においては、缶バッジ及びカードは、少数例えば一つだけ、それぞれの開き面に収納され、このため、飾り立ては小さく形成され、狭い卓上にも容易に据え置くことが出来る利点を有する。この点、従来のように、たくさんの缶バッジを収納する缶バッジコレクションブックとは異なり、装飾性を一段と高めた飾り立てを提供可能である。また、この飾り立ては、コンパクトな大きさであるため、簡単にバッグ等に入れて持ち運ぶことが出来、更に、外出先でも容易に据え置いて飾ることが出来る。もちろん、缶バッジ及びカードの数は大きさにより選択され、一つあるいは二つ等任意の少数個を並べることが可能である。
【００１２】
本開示の飾り立てにおいて、カードは、アクリルカード、写真、葉書、絵画、ブロマイド、印刷物等を含むことを特徴とする。
【００１３】
本開示において、他方の開き面に挟み固定されているカードは、装飾性に富んだ薄いデザイン紙であれば、どんな絵柄であっても利用可能である。
【００１４】
本開示において、開き面の一方あるいは両面に缶バッジとカードとの両者を並べることも可能である。
【考案の効果】
【００１５】
以上の様に、本考案は、小さな飾り立てでありながら、卓上で２面の装飾面を提示し、特に一方は所有者の気に入った缶バッジの意匠デザインを持つので、卓上を好きな装飾環境に維持することが出来、また、この装飾をどこへでも持ち運べる利点がある。
【図面の簡単な説明】
【００１６】
【図１】本開示の一実施形態である缶バッジの飾り立てを卓上に開いて据え置いた状態を示す斜視図である。
【図２】図１の飾り立てを反対側から見た斜視図である。
【図３】図１の飾り立てから、缶バッジとカードを外して飾り立てのみを示す斜視図である。
【図４】本開示の飾り立てを開いて、外した缶バッジとカードを収納位置の近傍に置いた状態を示す平面図である。
【図５】本開示の飾り立てに缶バッジとカードを収納し開いておいた正面図である。
【図６】図５の飾り立ての背面図である。
【考案を実施するための形態】
【００１７】
図１は本考案に係る缶バッジの飾り立ての実施形態が示され、図示の如く、飾り立て１０には１つの缶バッジ１２と一枚のカード１４とが嵌め込み収納されている。
【００１８】
飾り立て１０は折りたたみ可能な２面の開き面を有し、図示の如く開いた状態で、卓上に据え置くことが出来、所有者は自己の好みである意匠デザインを持った缶バッジ１２及び好みのカード１４にて卓上を飾り立てることが出来る。
【００１９】
飾り立て１０は開き面１０ａ及び１０ｂを有し、両開き面１０ａ、１０ｂは飾り立て１０の中綴じ１０ｃによって折りたたみ可能に一体化されている。
【００２０】
飾り立て１０は詳細には図示しないが、芯板の両面にプラスチックの表面１６及び裏面（開き面）１８を被覆した多層構造の飾り立てとなっており、中綴じ１０ｃと両開き面１０ａ、１０ｂとの境界には開き面１０ａ、１０ｂを折りたたみ可能とする圧縮境界溝３０，３２が設けられている。
【００２１】
図２には、飾り立て１０の反対側の表面１６が示され、実施形態においては、この表面１６にも所有者の好みによる意匠デザイン２０が施されている。図２において意匠デザイン２０は一方の表面にのみ設けられているが、表面１６の全面を使って好みの意匠デザインを形成することも可能である。
【００２２】
本実施形態において、飾り立て１０の表裏面材質はポリ塩化ビニルに印刷を施したものを使用しているが、必要に応じ、芯板に紙、布、皮等の被覆材を組み合わせることが可能である。
【００２３】
図３は、飾り立て１０から缶バッジ１２及びカード１４を取り外して開いた状態を示し、缶バッジ１２及びカード１４を嵌め込み収納する構造を示している。
【００２４】
一方の開き面１０ａには缶バッジ１２の厚みと等しいか或いはそれより若干大きな厚みを有する発泡プラスチックなどから成る収納体２２が裏面１８の上に貼付されている。収納体２２には、開口部２２ａが設けられ、この開口部２２ａは収納される缶バッジ１２の直径より僅かに小さな直径を有し、缶バッジ１２を図１に示すように開口部２２ａに押し込み収納することが出来る。収納体２２には、前記開口部２２ａに連続する指掛け２２ｂが設けられ、開口部２２ａに収納された状態の図１に示すような缶バッジ１２を所有者が指掛け２２ｂに指を挿入して缶バッジ１２を開口部２２ａから取り外すことが出来る。
【００２５】
飾り立て１０の他方の開き面１０ｂには、図３で示すように右上及び左下に切り込み２４、２６が設けられ、カード１４は図１に示されるように対角する２つの頂角部が前記２つの切り込み２４、２６に装着され、カード１４が開き面１０ｂに挟み固定される。
【００２６】
図４は、飾り立て１０を平面状に開いて、缶バッジ１２とカード１４とをそれぞれが収納される開き面１０ａ、１０ｂの近傍に配置した収納前の状態を示す平面図であり、缶バッジ１２は図４の状態から開口部２２ａに押し込み収納され、またカード１４は対角する２つの頂角部が開き面１０ｂに設けられた切り込み２４、２６に挟み込み固定される。
【００２７】
本考案において、カード１４はアクリルカード、写真、葉書、絵画、ブロマイド、印刷物等の装飾性に富んだ薄いデザイン紙であればどのような形式のカードであっても利用することが出来る。
【００２８】
また、缶バッジ１２は各種の大きさがあるが、飾り立て１０としては開口部２２ａの大きさが異なるいくつかの飾り立て１０を用意し、所有者の好みの缶バッジ１２に合わせて選択してもらうようにすれば良い。
【００２９】
図５には、飾り立て１０に缶バッジ１２とカード１４とが収納された状態が示され、また、図６には、図５の中綴じ面図が示されている。図５、６は、飾り立て１０が１８０度開いた状態を示し通常の使用状態ではこのような開き状態では安定して卓上に据え置くことは出来ないが、飾り立て全体の装飾面を示すために両図において１８０度開いた状態を示す。図から明らかなように、装飾性に富んだ意匠デザインは、缶バッジ１２の表面、カード１４の表面、そして飾り立て１０の表面１６に装飾されている。本考案において、これらの装飾デザインは所有者の好みの図柄に共通して選択されても良く、またそれぞれの図柄は独立して選択されても良い。
【００３０】
さらに、飾り立て１０に設けられる装飾デザインは図６に示される一方の表面１６ばかりでなく、図６の反対側の表面１６ａに設けても良く、更に図５のカード１４を固定する他方の開き面１０ｂや中綴じ１０ｃの表や裏に装飾デザインを施すことも可能である。
【００３１】
以上説明したように、本考案によれば比較的小さな飾り立て１０に缶バッジとカードとを収納固定して卓上に据え付けることにより所有者の部屋或いは卓上を好みの意匠デザインで装飾することが出来、特に缶バッジを少数個、カードも少数枚用いることによってコンパクトな飾り立てで好みの意匠デザインを身近に置くことが出来る。そして、本考案の飾り立ては、その大きさが小さいために容易にバッグ等に入れて外出し、移動途中の乗り物或いは出先にて身辺の装飾に用いることが出来るという利点がある。
【符号の説明】
【００３２】
１０  飾り立て、１０ａ  一方の開き面、１０ｂ  他方の開き面、１０ｃ  中綴じ、１２  缶バッジ、１４  カード、１６  表面、１８  裏面、２０  意匠デザイン、２２  収納体、２２ａ  開口部、２４，２６  切り込み、３０，３２  圧縮境界溝。
【図１】
0003227906.tif 000003
【図２】
0003227906.tif 000004
【図３】
0003227906.tif 000005
【図４】
0003227906.tif 000006
【図５】
0003227906.tif 000007
【図６】
0003227906.tif 000008